(57)【要約】      （修正有）【課題】周囲の環境の変化に応じて発光することができる照明システムを提供する。【解決手段】照明システム１００は、照明装置１０と、明るさセンサ２０と、カメラ３０と、温度センサ４０と、人感センサ５０と、サーバ装置６０とを備える。照明装置は１０は、光源１１と、発光制御回路１２と、光源１１の光の照射範囲における自然環境の状態を示す情報に基づいて光源１１を発光させる制御部１３とを備える。【選択図】図２
2020161353.tif 000002
【特許請求の範囲】
【請求項１】
光源と、
前記光源の光の照射範囲における自然環境の状態を示す情報に基づいて前記光源を発光させる制御部とを備える
照明システム。
【請求項２】
さらに、前記照射範囲の少なくとも一部が映る画像を撮影し、撮影された画像の画像情報を前記自然環境の状態を示す情報として出力するカメラを備え、
前記制御部は、前記画像情報に基づいて季節を特定し、特定された前記季節に基づいて前記光源を発光させる
請求項１に記載の照明システム。
【請求項３】
前記制御部は、
前記季節が冬であると特定された場合に、前記光源を第一発光色で発光させ、
前記季節が夏であると特定された場合に、前記光源を前記第一発光色よりも緑色成分が多い第二発光色で発光させる
請求項２に記載の照明システム。
【請求項４】
前記制御部は、前記画像情報に基づいて前記画像に含まれる画素の色の判定を行い、緑色であると判定された画素の数に基づいて前記季節を特定する
請求項２または３に記載の照明システム。
【請求項５】
さらに、前記照射範囲の少なくとも一部が映る画像を撮影し、撮影された画像の画像情報を前記自然環境の状態を示す情報として出力するカメラを備え、
前記制御部は、前記画像情報に基づいて天気を特定し、特定された前記天気に基づいて前記光源を発光させる
請求項１に記載の照明システム。
【請求項６】
さらに、前記照射範囲における気温を計測し、計測した気温を示す気温情報を前記自然環境の状態を示す情報として出力する温度センサを備え、
前記制御部は、前記気温情報に基づいて前記光源を発光させる
請求項１に記載の照明システム。
【請求項７】
前記制御部は、
前記気温情報が示す気温が所定値未満である場合に、前記光源を第一色温度で発光させ、
前記気温情報が示す気温が所定値以上である場合に、前記光源を前記第一色温度よりも高い第二色温度で発光させる
請求項６に記載の照明システム。
【請求項８】
さらに、人感センサを備え、
前記制御部は、人感センサの検知結果に基づいて前記光源が発する光の明るさを制御する
請求項１〜７のいずれか１項に記載の照明システム。
【請求項９】
さらに、前記自然環境を示す情報と、当該情報に基づいて前記光源をどのように発光させたかを示す制御結果とが対応付けられてデータベースとして記憶される記憶部を備える
請求項１〜８のいずれか１項に記載の照明システム。
【請求項１０】
コンピュータによって実行される照明方法であって、
光源の光の照射範囲における自然環境の状態を示す情報に基づいて前記光源を発光させる
照明方法。
【発明の詳細な説明】
【技術分野】
【０００１】
本発明は、照明システム、及び、照明方法に関する。
【背景技術】
【０００２】
従来、様々な空間に適した照明装置が提案されている。このような照明装置の一例として、特許文献１には、オフィスなどの執務空間において、様々な情報に応じて発光体により照明演出を行い、空間の利用者に気付きを与える照明演出パネルが開示されている。
【先行技術文献】
【特許文献】
【０００３】
【特許文献１】特開２０１４−０１７０６３号公報
【発明の概要】
【発明が解決しようとする課題】
【０００４】
ところで、屋外に設置される照明装置の周囲の環境は、季節及び時間帯によって大きく変化する。したがって、屋外に設置される照明装置を手動で調整し、周囲の環境の変化に合わせて発光させることは現実的ではない。
【０００５】
本発明は、周囲の環境の変化に応じて発光することができる照明システム及び照明方法を提供する。
【課題を解決するための手段】
【０００６】
本発明の一態様に係る照明システムは、光源と、前記光源の光の照射範囲における自然環境の状態を示す情報に基づいて前記光源を発光させる制御部とを備える。
【０００７】
本発明の一態様に係る照明方法は、コンピュータによって実行される照明方法であって、光源の光の照射範囲における自然環境の状態を示す情報に基づいて前記光源を発光させる。
【発明の効果】
【０００８】
本発明によれば、周囲の環境の変化に応じて発光することができる照明システム及び照明方法が実現される。
【図面の簡単な説明】
【０００９】
【図１】図１は、実施の形態に係る照明システムの概要を示す図である。
【図２】図２は、実施の形態に係る照明システムの機能構成を示すブロック図である。
【図３】図３は、実施の形態に係る照明システムの動作例１のフローチャートである。
【図４】図４は、実施の形態に係る照明システムの動作例２のフローチャートである。
【図５】図５は、実施の形態に係る照明システムの動作例３のフローチャートである。
【図６】図６は、投光器の外観図である。
【図７】図７は、スポットライトの外観図である。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態）
［照明システムの概要］
まず、実施の形態に係る照明システムの構成について説明する。図１は、実施の形態に係る照明システムの概要を示す図である。図２は、実施の形態に係る照明システムの機能構成を示すブロック図である。
【００１３】
照明システム１００は、屋外用の照明装置１０を備える。図１に示されるように、照明装置１０は、例えば、街路灯であり、公園などに設置される。照明システム１００は、照明装置１０の光の照射範囲における自然環境の変化に応じて照明装置１０の発光態様を自動的に（リアルタイムに）変化させることができる。例えば、照明システム１００は、夏の暑い季節には、人が涼しく感じるように照明装置１０を高い色温度で発光させ、冬の寒い季節には、人が温かく感じるように照明装置１０を低い色温度で発光させる。
【００１４】
［照明システムの構成］
照明システム１００は、照明装置１０と、明るさセンサ２０と、カメラ３０と、温度センサ４０と、人感センサ５０と、サーバ装置６０とを備える。まず、照明装置１０の構成について主として図２を参照しながら説明する。
【００１５】
照明装置１０は、光源１１と、発光制御回路１２と、制御部１３と、記憶部１４と、通信部１５とを備える。
【００１６】
光源１１は、制御部１３によって発光制御される発光モジュールである。光源１１は、例えば、基板上に複数のＬＥＤ素子が実装された発光モジュールである。複数のＬＥＤ素子のそれぞれは、赤色ＬＥＤチップ、青色ＬＥＤチップ、及び、緑色ＬＥＤチップを含み、各ＬＥＤチップの輝度が独立して制御可能である。これにより、光源１１の発光色の変更が実現される。つまり、光源１１は、調光機能、及び、調色機能を備えている。
【００１７】
なお、光源１１は、青色ＬＥＤチップと、青色ＬＥＤチップを封止する蛍光体含有樹脂（封止部材）とによって実現される、白色光（具体的には、電球色または温白色など）を発するＬＥＤ素子によって実現されてもよい。この場合、光源１１に、低い色温度（例えば、電球色）の白色光を発する第一ＬＥＤ素子と、高い色温度（例えば、温白色、昼白色、または、昼光色など）の白色光を発する第二ＬＥＤ素子とが含まれれば、第一ＬＥＤ素子及び第二ＬＥＤ素子の輝度が制御されることにより、光源１１の調色機能を実現することができる。
【００１８】
また、光源１１は、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子を用いた発光モジュールであってもよい。
【００１９】
発光制御回路１２は、制御部１３の制御に基づいて電圧及び電流を光源１１に供給する回路である。発光制御回路１２は、具体的には、ＰＷＭ（Ｐｕｌｓｅ  Ｗｉｄｔｈ  Ｍｏｄｕｌａｔｉｏｎ）制御回路などの調光回路である。
【００２０】
制御部１３は、発光制御回路１２を介して光源１１の発光を制御する。制御部１３は、具体的には、光源１１の光の照射範囲における自然環境の状態を示す情報に基づいて光源１１を発光させる。制御部１３は、例えば、マイクロコンピュータによって実現されるが、プロセッサによって実現されてもよい。
【００２１】
記憶部１４は、制御部１３が実行するプログラムが記憶される記憶装置である。記憶部１４は、具体的には、半導体メモリなどによって実現される。
【００２２】
通信部１５は、照明装置１０がインターネットなどの広域通信ネットワーク７０を介してサーバ装置６０と通信を行うための通信回路である。通信部１５によって行われる通信は、有線通信であってもよいし無線通信であってもよい。通信部１５が行う通信の通信規格は特に限定されない。
【００２３】
次に、各種センサ及びカメラ３０について説明する。なお、各種センサ及びカメラ３０は、照明装置１０に内蔵されていてもよい。
【００２４】
明るさセンサ２０は、照明装置１０の周囲の明るさを検知するセンサである。明るさセンサ２０は、例えば、フォトダイオードまたはフォトトランジスタなどの光電変換素子によって実現される。
【００２５】
カメラ３０は、光源１１の光の照射範囲の少なくとも一部が映る画像を撮影し、撮影された画像の画像情報を自然環境の状態を示す情報として出力する。カメラ３０は、具体的には、イメージセンサ及びレンズなどによって実現される。
【００２６】
温度センサ４０は、照明装置１０の周囲の気温（例えば、光源１１の光の照射範囲における気温）を計測し、計測した気温を示す気温情報を自然環境の状態を示す情報として出力する。温度センサ４０は、例えば、サーミスタまたは熱電対などの温度計測素子を有するセンサである。
【００２７】
人感センサ５０は、人の有無を検知する。人感センサ５０は、具体的には、人の体から発せられる赤外線を検知する焦電センサである。人感センサ５０は、超音波または可視光を用いたセンサであってもよい。
【００２８】
次に、サーバ装置６０の構成について説明する。サーバ装置６０は、通信部６１と、情報処理部６２と、記憶部６３とを備える。
【００２９】
通信部６１は、サーバ装置６０が照明装置１０と広域通信ネットワーク７０を介して通信を行うための通信回路である。通信部６１によって行われる通信は、有線通信であってもよいし無線通信であってもよい。通信部６１が行う通信の通信規格は特に限定されない。
【００３０】
情報処理部６２は、記憶部６３に記憶されるデータベースの更新などの情報処理を行う。データベースは、照明装置１０、及び、他の照明装置によってどのような発光制御が行われたかを示す発光制御の履歴情報である。情報処理部６２は、例えば、マイクロコンピュータによって実現されるが、プロセッサによって実現されてもよい。
【００３１】
記憶部６３は、情報処理部６２が実行するプログラムが記憶される記憶装置である。記憶部６３は、具体的には、ＨＤＤ（Ｈａｒｄ  Ｄｉｓｃ  Ｄｒｉｖｅ）などによって実現される。
【００３２】
［動作例１］
次に、照明システム１００の動作例１について説明する。図３は、照明システム１００の動作例１のフローチャートである。
【００３３】
照明装置１０の光源１１は、当初は消灯状態である（Ｓ１１）。制御部１３は、明るさセンサ２０によって出力される明るさ情報に基づいて、照明装置１０の周囲の明るさが所定の明るさよりも暗くなったか否かを判定する（Ｓ１２）。ステップＳ１２の処理は、周囲の明るさが所定の明るさよりも暗くなったと判定されるまで継続される（Ｓ１２でＮｏ）。
【００３４】
ステップＳ１２において周囲の明るさが所定の明るさよりも暗くなったと判定されると（Ｓ１２でＹｅｓ）、制御部１３は、発光制御回路１２に制御信号を出力することにより光源１１を点灯させる（Ｓ１３）。このときの光源１１の発光色は、カメラ３０の画像の撮影に適した所定の発光色である。
【００３５】
次に、制御部１３は、カメラ３０に、光源１１の光の照射範囲の少なくとも一部が映る画像（例えば、静止画）を撮影させ、撮影された画像の画像情報を、光源１１の光の照射範囲における自然環境の状態を示す情報としてカメラ３０から取得する（Ｓ１４）。
【００３６】
次に、制御部１３は、取得した画像情報に基づいて季節を特定する（Ｓ１５）。制御部１３は、具体的には、画像情報に基づいて、当該画像情報が示す画像に含まれる画素の色の判定を行う。
【００３７】
図１に示されるように、照明装置１０が公園などに設置される場合、夏場は緑色の葉を有する木が被写体として画像に映り、冬場は落葉した木が被写体として画像に映る。そうすると、制御部１３は、画像に含まれる複数の画素のそれぞれについて当該画素の色が緑色であるか否かの判定を行い、緑色であると判定された画素の数に基づいて季節を特定することができる。なお、画素が緑色であるか否かの判定は、例えば、画素値が緑色と判断できる所定範囲内であるか否かに基づいて行われる。
【００３８】
制御部１３は、緑色であると判定された画素の数が第一所定値未満であれば、現在の季節が冬であると特定する（Ｓ１５で冬）。この場合、制御部１３は、発光制御回路１２に制御信号を出力することにより光源１１を第一発光色で点灯させる（Ｓ１６）。
【００３９】
一方、制御部１３は、緑色であると判定された画素の数が第一所定値よりも大きい第二所定値以上であれば、現在の季節が夏であると特定する（Ｓ１５で夏）。この場合、制御部１３は、発光制御回路１２に制御信号を出力することにより光源１１を第二発光色で点灯させる（Ｓ１７）。
【００４０】
そして、制御部１３は、緑色であると判定された画素の数が第一所定値以上第二所定値未満であれば、現在の季節が春または秋であると特定する（Ｓ１５で春または秋）。この場合、制御部１３は、発光制御回路１２に制御信号を出力することにより光源１１を第三発光色で点灯させる（Ｓ１８）。
【００４１】
ここで、第一発光色、第二発光色、及び、第三発光色は、例えば、いずれも白色であるが、発光スペクトルにおける緑色成分（例えば、５００ｎｍ以上５７０ｎｍ以下の成分）の割合に着目すると、第二発光色が最も緑色成分が多く、第三発光色が次に緑色成分が多く、第一発光色が最も緑色成分が少ない。これにより、樹木が多くの緑色の葉を有している季節ほど緑色成分の多い光が照射されるため、樹木をより色鮮やかに見せることができる。
【００４２】
ステップＳ１６、ステップＳ１７、及び、ステップＳ１８の後、制御部１３は、制御結果情報を通信部１５にサーバ装置６０へ送信させる（Ｓ１９）。制御結果情報は、ステップＳ１４で取得された画像情報（言い換えれば、光源１１の照射範囲の自然環境を示す情報）と、当該画像情報に基づいて光源１１をどのように発光させたか（第一発光色、第二発光色、及び、第三発光色のいずれが選択されたか）を示す制御結果とが対応付けられた情報である。
【００４３】
サーバ装置６０の情報処理部６２は、通信部６１によって制御結果情報が受信されると、制御結果情報を記憶部６３内のデータベースに追加することによりデータベースを更新する（Ｓ２０）。データベースは、画像情報（光源１１の照射範囲の自然環境を示す情報）と、当該画像情報に基づいて光源１１をどのように発光させたかを示す制御結果とが対応付けられた情報である。
【００４４】
以上説明したように、動作例１では、照明システム１００は、照明装置１０の周囲の季節を特定し、特定した季節に応じた発光態様で光源１１を発光させる。これにより、季節感を考慮した発光制御が実現される。
【００４５】
また、ステップＳ１５〜ステップＳ１８の処理は、画像情報を入力として発光色を示す情報を出力する、機械学習に基づいてあらかじめ構築された識別器（機械学習モデル）を使用することで実現されてもよい。このような識別器は、上述した制御結果情報のデータベースに基づいて構築されてもよい。
【００４６】
なお、動作例１のステップＳ１５では、季節に代えて天気（晴れ、曇り、雨、雪など）が画像情報に基づいて特定され、ステップＳ１６〜ステップＳ１８では、天気に応じて異なる発光態様で光源１１が発光してもよい。天気の特定は、例えば、画像情報を入力として天気情報を出力する、機械学習に基づいてあらかじめ構築された識別器（機械学習モデル）を使用することで実現できる。
【００４７】
このような照明システム１００は、照明装置１０の周囲の天気を特定し、特定した天気に応じた発光態様で光源１１を発光させることで、天気を考慮した発光制御を実現することができる。
【００４８】
［動作例２］
次に、照明システム１００の動作例２について説明する。図４は、照明システム１００の動作例２のフローチャートである。
【００４９】
照明装置１０の光源１１は、当初は消灯状態である（Ｓ２１）。制御部１３は、明るさセンサ２０によって出力される明るさ情報に基づいて、照明装置１０の周囲の明るさが所定の明るさよりも暗くなったか否かを判定する（Ｓ２２）。ステップＳ２２の処理は、周囲の明るさが所定の明るさよりも暗くなったと判定されるまで継続される（Ｓ２２でＮｏ）。
【００５０】
ステップＳ２２において周囲の明るさが所定の明るさよりも暗くなったと判定されると（Ｓ２２でＹｅｓ）、制御部１３は、温度センサ４０によって計測される気温情報を、光源１１の光の照射範囲における自然環境の状態を示す情報として温度センサ４０から取得する（Ｓ２３）。
【００５１】
次に、制御部１３は、取得した気温情報に基づいて、当該気温情報が示す気温が所定値以上であるか否かを判定する（Ｓ２４）。制御部１３は、気温情報が示す気温が所定値未満であると判定すると（Ｓ２４でＮｏ）、光源１１を第一色温度で発光させる（Ｓ２５）。一方、制御部１３は、気温情報が示す気温が所定値以上であると判定すると（Ｓ２４でＮｏ）、光源１１を第一色温度よりも低い第二色温度で発光させる（Ｓ２６）。つまり、制御部１３は、周囲の気温が比較的低い場合には、温かい印象を与えるために低い色温度で光源１１を発光させ、周囲の気温が比較的高い場合には、涼しい印象を与えるために高い色温度で光源１１を発光させる。
【００５２】
ステップＳ２５、及び、ステップＳ２６の後、制御部１３は、制御結果情報を通信部１５にサーバ装置６０へ送信させる（Ｓ２７）。制御結果情報は、ステップＳ２３で取得された気温情報（言い換えれば、光源１１の照射範囲の自然環境を示す情報）と、当該気温情報に基づいて光源１１をどのように発光させたか（第一色温度、及び、第二色温度のいずれが選択されたか）を示す制御結果とが対応付けられた情報である。
【００５３】
サーバ装置６０の情報処理部６２は、通信部６１によって制御結果情報が受信されると、制御結果情報を記憶部６３内のデータベースに追加することによりデータベースを更新する（Ｓ２８）。データベースは、気温情報（光源１１の照射範囲の自然環境を示す情報）と、当該気温情報に基づいて光源１１をどのように発光させたかを示す制御結果とが対応付けられた情報である。
【００５４】
以上説明したように、動作例２では、照明システム１００は、照明装置１０の周囲の気温に応じた発光態様で光源１１を発光させる。照明システム１００は、例えば、周囲の気温が比較的低い場合には、温かい印象を与えるために低い色温度で光源１１を発光させ、周囲の気温が比較的高い場合には、涼しい印象を与えるために高い色温度で光源１１を発光させる。これにより、気温を考慮した発光制御が実現される。
【００５５】
また、制御結果情報がデータベース化されることにより、このようなデータベースに基づいて画像情報を入力として発光色を出力する機械学習モデルが構築されれば、ステップＳ１５〜ステップＳ１８の処理は、このような学習モデルを用いて実現することも可能である。
【００５６】
なお、動作例２のステップＳ２３では、気温情報に代えて、または、気温情報に加えて湿度情報が取得され、ステップＳ２４〜ステップＳ２６では、湿度情報を用いて光源１１の発光態様が決定されてもよい。この場合、照明システム１００は、光源１１の光の照射範囲の湿度を計測する湿度センサを備える。
【００５７】
このような照明システム１００は、照明装置１０の周囲の湿度に応じた発光態様で光源１１を発光させることで、湿度を考慮した発光制御を実現することができる。
【００５８】
［動作例３］
照明システム１００は、光源１１の発光中に、人感センサ５０の検知結果に基づいて光源１１が発する光の明るさを制御してもよい。以下、このような照明システム１００の動作例３について説明する。図６は、照明システム１００の動作例３のフローチャートである。
【００５９】
照明装置１０の光源１１が発光状態であるときに（Ｓ３１）、制御部１３は、人感センサ５０によって出力される検知結果に基づいて、照明装置１０の周囲に人がいるか否かを判定する（Ｓ３２）。
【００６０】
照明装置１０の周囲に人がいると判定されると（Ｓ３２でＹｅｓ）、制御部１３は、光源１１を、第一調光状態で発光させる（Ｓ３３）。一方、照明装置１０の周囲に人がいないと判定されると（Ｓ３２でＮｏ）、制御部１３は、光源１１を、第一調光状態よりも暗い第二調光状態で発光させる（Ｓ３４）。第二調光状態には、消灯状態も含まれる。
【００６１】
以上説明したように、動作例３では、照明システム１００は、照明装置１０の周囲に人がいないときには、照明装置１０の周囲に人がいるときよりも光源１１を暗く発光させる。これにより、光が必要なときのみ光源１１が明るく発光するため、照明装置１０の消費電力が低減される。
【００６２】
［変形例］
上記実施の形態では、制御結果情報は、サーバ装置６０の記憶部６３においてデータベース化されていたが、照明装置１０の記憶部１４においてデータベース化されていてもよい。この場合、照明装置１０は、制御結果情報をサーバ装置６０に送信する必要がないため、通信部１５を備えていなくてもよい。
【００６３】
また、上記実施の形態では、照明装置１０は、街路灯であると説明されたが、街路灯以外の他の屋外用照明装置であってもよい。照明装置１０は、図６に示されるような投光器として実現されてもよいし、図７に示されるようなスポットライトとして実現されてもよい。図６は、投光器の外観図であり、図７は、スポットライトの外観図である。また、図示されないが、照明装置１０は、屋外用のライン照明、または、ガーデンライトとして実現されてもよい。
【００６４】
［効果等］
以上説明したように、照明システム１００は、光源１１と、光源１１の光の照射範囲における自然環境の状態を示す情報に基づいて光源１１を発光させる制御部１３とを備える。
【００６５】
このような照明システム１００は、周囲の環境の変化に応じて発光することができる。
【００６６】
また、例えば、照明システム１００は、さらに、照射範囲の少なくとも一部が映る画像を撮影し、撮影された画像の画像情報を自然環境の状態を示す情報として出力するカメラ３０を備える。制御部１３は、画像情報に基づいて季節を特定し、特定された季節に基づいて光源１１を発光させる。
【００６７】
このような照明システム１００は、周囲の季節の変化に応じて発光することができる。
【００６８】
また、例えば、制御部１３は、季節が冬であると特定された場合に、光源１１を第一発光色で発光させ、季節が夏であると特定された場合に、光源１１を第一発光色よりも緑色成分が多い第二発光色で発光させる。
【００６９】
このような照明システム１００は、周囲の季節の変化に応じて発光色を変更することができる。
【００７０】
また、例えば、制御部１３は、画像情報に基づいて画像に含まれる画素の色の判定を行い、緑色であると判定された画素の数に基づいて季節を特定する。
【００７１】
このような照明システム１００は、画素の色の判定によって季節を特定することができる。
【００７２】
また、例えば、照明システム１００は、さらに、照射範囲の少なくとも一部が映る画像を撮影し、撮影された画像の画像情報を自然環境の状態を示す情報として出力するカメラ３０を備える。制御部１３は、画像情報に基づいて天気を特定し、特定された天気に基づいて光源１１を発光させる。
【００７３】
このような照明システム１００は、周囲の天気の変化に応じて発光することができる。
【００７４】
また、例えば、照明システム１００は、さらに、照射範囲における気温を計測し、計測した気温を示す気温情報を自然環境の状態を示す情報として出力する温度センサ４０を備える。制御部１３は、気温情報に基づいて光源１１を発光させる。
【００７５】
このような照明システム１００は、周囲の気温の変化に応じて発光することができる。
【００７６】
また、例えば、制御部１３は、気温情報が示す気温が所定値未満である場合に、光源１１を第一色温度で発光させ、気温情報が示す気温が所定値以上である場合に、光源１１を第一色温度よりも高い第二色温度で発光させる。
【００７７】
また、例えば、照明システム１００は、さらに、人感センサ５０を備える。制御部１３は、人感センサ５０の検知結果に基づいて光源１１が発する光の明るさを制御する。
【００７８】
このような照明システム１００は、照明装置１０の周囲に人がいないときには、照明装置１０の周囲に人がいるときよりも光源１１を暗く発光させることで、照明装置１０の消費電力を低減することができる。
【００７９】
また、例えば、照明システム１００は、さらに、自然環境を示す情報と、当該情報に基づいて光源１１をどのように発光させたかを示す制御結果とが対応付けられてデータベースとして記憶される記憶部６３（または記憶部１４）を備える。
【００８０】
このような照明システム１００は、光源１１をどのように発光させたかをデータベース化することができる。
【００８１】
また、照明システム１００などのコンピュータによって実行される照明方法は、光源１１の光の照射範囲における自然環境の状態を示す情報に基づいて光源１１を発光させる。
【００８２】
このような照明方法は、周囲の環境の変化に応じて光源１１を発光させることができる。
【００８３】
（その他の実施の形態）
以上、実施の形態について説明したが、本発明は、上記実施の形態に限定されるものではない。
【００８４】
例えば、上記実施の形態では、照明システムは、複数の装置によって実現されたが、単一の装置として実現されてもよい。照明システムが複数の装置によって実現される場合、上記実施の形態で説明された照明システムが備える構成要素は、複数の装置にどのように振り分けられてもよい。
【００８５】
また、上記実施の形態において、特定の処理部が実行する処理を別の処理部が実行してもよい。また、複数の処理の順序が変更されてもよいし、複数の処理が並行して実行されてもよい。
【００８６】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００８７】
また、各構成要素は、ハードウェアによって実現されてもよい。各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【００８８】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【００８９】
例えば、本発明は、上記実施の形態の照明装置として実現されてもよいし、照明方法をコンピュータに実行させるためのプログラムとして実現されてもよいし、このようなプログラムが記録されたコンピュータ読み取り可能な非一時的な記録媒体として実現されてもよい。
【００９０】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００９１】
１０  照明装置
１１  光源
１３  制御部
１４  記憶部
３０  カメラ
４０  温度センサ
５０  人感センサ
６３  記憶部
１００  照明システム
【図１】
2020161353.tif 000003
【図２】
2020161353.tif 000004
【図３】
2020161353.tif 000005
【図４】
2020161353.tif 000006
【図５】
2020161353.tif 000007
【図６】
2020161353.tif 000008
【図７】
2020161353.tif 000009